(57)【要約】      （修正有）【課題】  調光コントローラを使用せず、装置、配線、施工及びメンテナンスのコストを節約し、灯具の使用寿命を延長し、製品の格及びユーザーエクスペリエンスを向上させることができ、通常のスイッチにより直接制御されるＬＥＤ調光駆動装置を提供する。【解決手段】ＬＥＤ灯具の調光に用いられ、通常のスイッチにより直接に制御されるＬＥＤ調光駆動装置は、順次接続されている通常のスイッチと、ＬＥＤ調光駆動装置と、ＬＥＤ灯具と、を含む。スイッチは、強電型デュアルコントロールスイッチ、常閉型リレー又は強電型常閉自己復帰スイッチが採用される。ＬＥＤ調光駆動装置は、定電流、定電圧、ＰＷＭなどの出力タイプを含む。通常のスイッチを用いてＬＥＤ調光駆動装置を制御して灯具の明るさのフェードイン・フェードアウト及び段階的明るさ切り替えなどの機能を実現し、従来の照明のアップグレードに線を追加する必要はない。【選択図】図１
0003234203.tif 000002
【実用新案登録請求の範囲】
【請求項１】
順次接続されているスイッチと、ＬＥＤ調光駆動装置と、ＬＥＤ灯具と、を含み、前記ＬＥＤ灯具の明るさ変化が、通常のスイッチにより操作されるように構成されることを特徴とするスイッチにより直接に制御されるＬＥＤ調光駆動装置。
【請求項２】
前記スイッチは、ＬＥＤ調光駆動装置を直接制御するように構成されることを特徴とする請求項１に記載のスイッチにより直接制御されるＬＥＤ調光駆動装置。
【請求項３】
前記スイッチは、強電型デュアルコントロールスイッチ、強電型常閉自己復帰スイッチ又は常閉型リレーが採用されることを特徴とする請求項１に記載のスイッチにより直接に制御されるＬＥＤ調光駆動装置。
【請求項４】
前記ＬＥＤ調光駆動装置には、ストレージキャパシタＣが接続されており、前記ストレージキャパシタＣは、ＬＥＤ調光駆動装置が瞬時停電する時に給電することを特徴とする請求項１に記載のスイッチにより直接に制御されるＬＥＤ調光駆動装置。
【考案の詳細な説明】
【技術分野】
【０００１】
本考案は、照明分野に関し、具体的に、通常のスイッチにより直接に制御されるＬＥＤ調光駆動装置に関する。
【背景技術】
【０００２】
ＬＥＤ灯具が広く応用されるにつれて、ユーザーエクスペリエンスをさらに向上させ、フェードイン・フェードアウト又は異なるレベルの明るさ変化を生じさせるために、様々なＬＥＤ調光駆動装置が提案され、現在、主にフェーズカット型駆動装置、０／１〜１０Ｖアナログ信号駆動装置、デジタル信号駆動装置などがあり、さらに、上記調光役割を果たすためには、対応するタイプのコントローラによる協同動作が必須であり、前縁フェーズカット型のコントローラには、ひどいＥＭＣ電磁干渉が存在し、また、アナログ又はデジタル信号タイプのコントローラは、更なる弱電線路を増加する必要がある。
【０００３】
従って、従来のＬＥＤ調光システムは、欠陥が存在するか、あるいは、装置が多すぎ、装置、実装及びメンテナンスのコストが高い。
【０００４】
背景技術部分に開示された情報は、本考案の背景全体を理解されやすくためのものであり、この情報は、当業者に周知された従来技術であると認めたものであるか、あるいは何らの形で暗示したものであるかと見なされるべきではない。
【考案の概要】
【０００５】
本考案の目的は、通常のスイッチにより直接に制御されるＬＥＤ調光駆動装置を提供することにより、上記従来技術に存在する欠陥を克服することにある。
【０００６】
上記目的を実現するために、本考案は、順次に接続されている通常のスイッチと、ＬＥＤ調光駆動装置と、ＬＥＤ灯具と、を含む通常のスイッチにより直接に制御されるＬＥＤ調光駆動装置を提供する。ユーザーは、通常のスイッチを操作することによってＬＥＤ灯具の明るさ変化を実現し、ＬＥＤ灯具の明るさ変化は、フェードイン・フェードアウト変化を含み、段階的な明るさ変化を含む。
【０００７】
前記通常のスイッチは、ＬＥＤ調光駆動装置を直接に制御し、従来の調光コントローラ（前縁フェーズカット又は後縁フェーズカットコントローラ、０／１〜１０Ｖアナログコントローラ、デジタルコントローラを含む）を使用せず、新築または従来の照明のレベルアップに適用され、簡潔で信頼性、実用性を有する。
【０００８】
前記通常のスイッチは、強電型デュアルコントロールスイッチ、強電型常閉自己復帰スイッチ及び常閉型リレーを含む。普段、通常のスイッチが導通状態にあり、ユーザーが通常のスイッチを押下すると、短期間オフとなり、当該ＬＥＤ調光駆動装置は、この停電パルスを入力信号として抽出し、すなわち、前記通常のスイッチは、制御信号を直接に生成する。
【０００９】
小電力の状態において、２線を用いて動作し（図６を参照）、前記ＬＥＤ調光駆動装置にはストレージキャパシタＣが接続されており、前記ストレージキャパシタＣは、ＬＥＤ調光駆動装置が瞬時停電する時に給電し、当該駆動装置の元の配線は変更される必要がない。
【００１０】
大電力状態において、３線を用いて動作し（図７を参照）、図中、通常のスイッチは、停電時に駆動装置への給電をオフにせず、停電パルス入力信号のみとされる。
【００１１】
通常のスイッチにより直接に制御されるＬＥＤ調光駆動装置の制御方法において、前記ＬＥＤ調光駆動装置に若干種類の調光モードが内蔵されており、ユーザーは、駆動装置に取り付けられたＢＣＤエンコーダスイッチにより、調光モードを直接に設置し、スイッチが１〜ｎに回された場合、対応する調光モードがモード１〜４となる。
【００１２】
モード１：  １回押下すると、直ちにオンとなり、さらに１回押下すると、直ちにオフとなる。
【００１３】
モード２：  スイッチングボタンを連続的に押下すると、明るさが「弱」、「強」および「オフ」の３つの状態を循環する。
【００１４】
モード３：  スイッチングボタンを連続的に押下すると、明るさが「最小」、「中」、「最大」および「オフ」の４つの状態を循環する。
【００１５】
モード４：  調光モードであり、１回押下すると漸進的変化を開始して明るさが増加し、最大となるまで停止する。さらに１回押下すると、明るさが漸進的変化し、消灯となるまで停止する。漸進的変化過程において一回押下すると、漸進的変化が早めに終了する。
【００１６】
従来技術と比べて、本考案の一態様は、以下の有益な効果を有する。
【００１７】
本考案は、調光コントローラを用いることなく、装置、配線、施工及びメンテナンスのコストを節約し、灯具の使用寿命を延長し、製品の格及びユーザーエクスペリエンスを向上させることができる。
【図面の簡単な説明】
【００１８】
【図１】図１は、本考案の通常のスイッチにより直接に制御されるＬＥＤ調光駆動装置の概略図である。
【図２】図２は、本考案の強電型オン／オフスイッチの概略図である。
【図３】図３は、本考案の常閉型リレーの概略図である。
【図４】図４は、本考案の強電型常閉自己復帰スイッチの概略図である。
【図５】図５は、本考案のＬＥＤ調光駆動装置に内蔵されたＭＣＵ給電回路の概略図である。
【図６】図６は、通常のスイッチにより直接に制御される調光の概略図である。
【図７】図７は、本考案の大電力状態の回路全体設計概略図である。
【図８】図６は、本考案のLED調光駆動装置が初回通電を確認するプロセス図である。
【図９】図７は、本考案の停電スレッドのプロセス図である。
【考案を実施するための形態】
【００１９】
以下、本考案の実施例における図面を参照しながら、本考案の実施例における技術的解決手段を明確かつ完全に説明する。明らかに、説明される実施例は、本考案の全ての実施例ではなく、一部の実施例に過ぎない。本考案における実施例に基づき、当業者は、創造的労働を行わずに得られたその他の実施例の全ても本考案の保護範囲内に入っている。
【００２０】
図１〜７に示すように、通常のスイッチにより直接に制御されるＬＥＤ調光駆動装置は、順次に接続されている通常のスイッチと、ＬＥＤ調光駆動装置と、ＬＥＤ灯具と、を含む。
【００２１】
その中、ＬＥＤ調光駆動装置は、整流回路と、停電サンプリング回路と、モード設置スイッチと、Ｄ／Ａ変換器と、ＬＥＤ明るさの制御及び駆動回路と、ストレージキャパシタＣ及びマイクロプロセッサＭＣＵと、を含み、前記ＬＥＤ調光駆動装置は、定電流、定電圧、ＰＷＭなどの出力タイプが選択、使用される。
【００２２】
整流回路は、１１０／２２０Ｖ交流電流を直流電流に変換し、ＤＣ／ＤＣ変換回路を介してＬＥＤの明るさ制御及び駆動回路に供給し、同時に、Ｖｃｃ電源で給電してＭＣＵなどを動作させ、ストレージキャパシタＣは、ＤＣ／ＤＣ変換回路の上流又は下流に接続されてもよい。
【００２３】
本考案の具体的な実施例において、従来の調光コントローラを使用しない。ユーザーは、通常のスイッチと、強電型デュアルコントロールスイッチと、強電型常閉自己復帰スイッチ又は常閉型リレーとを操作することによりＬＥＤ灯具の明るさ変化を実現する。ユーザーが通常のスイッチを押下すると、短期間オフとなり、当該駆動装置はその停電パルスを制御信号として抽出する。
【００２４】
小電力状態において、２線を採用して動作し（図６を参照）、前記ＬＥＤ調光駆動装置にはストレージキャパシタＣが接続されており、前記ストレージキャパシタＣは、ＬＥＤ調光駆動装置が瞬時停電する時に給電し、駆動装置が瞬時停電する過程においてＬＥＤ灯具が点滅しないよう保証する。
【００２５】
大電力状態において、３線を採用して動作し（図７を参照）、図中、通常のスイッチは、停電時に駆動装置への給電をオフにせず、停電パルス入力信号のみとされる。
【００２６】
前記ＬＥＤ調光駆動装置に若干種類の調光モードが内蔵されており、ユーザーは、駆動装置に取り付けられたＢＣＤエンコーダスイッチにより、調光モードを直接に設置し、スイッチが１〜ｎに回された場合、対応する調光モードがモード１〜４となる。
【００２７】
モード１：  １回押下すると、直ちにオンとなり、さらに１回押下すると、直ちにオフとなる。
【００２８】
モード２：  スイッチングボタンを連続的に押下すると、明るさが「弱」、「強」および「オフ」の３つの状態を循環する。
【００２９】
モード３：  スイッチングボタンを連続的に押下すると、明るさが「最小」、「中」、「最大」および「オフ」の４つの状態を循環する。
【００３０】
モード４：  調光モードであり、１回押下すると漸進的変化を開始して明るさが増加し、最大となるまで停止する。さらに１回押下すると、明るさが漸進的変化し、消灯となるまで停止する。漸進的変化過程において一回押下すると、漸進的変化が早めに終了する。
【００３１】
本考案の具体的な実施例において、スイッチの瞬時停電により、本駆動装置のマイクロプロセッサＭＣＵが停電して復帰し、動作が正常でなくなるので、ＭＣＵに給電回路を接続し、具体的な方法は（図５を参照）、電源ＶｃｃがダイオードＤ及びキャパシタＣ２を介してＭＣＵに給電し、ダイオードＤの存在により、キャパシタＣ２がその他の回路に給電することができず、ＭＣＵの動作のみに給電し、ＭＣＵの正常な動作を保証する。
【００３２】
本考案の具体的な実施例において、ユーザーが操作するときに、トグルスイッチの形式であり、すなわち、１回押下するとオンとなり、さらに１回押すと、オフとなり、すなわち、今回の状態は前回の逆フェーズ状態であり、オフ状態時に停電又は遮断すれば、通電ときにオンとなり、常識に反する。もう１つの場合は、複数の駆動装置の一部がオンであるときに停電又は遮断し、通電ときに一部がオン、一部がオフとなり、混乱している。従って、停電又は遮断して通電した後に灯具を一括にオフにする必要がある。しかし、停電又は遮断と正常な操作とは、本質的に駆動装置に対する停電であるので、通電後にＭＣＵに判断させることを可能にする必要があり、２つの場合が以下のようになる。
【００３３】
ａ．停電又は遮断ときに、ＬＥＤ調光駆動装置の停電時間が長く、キャパシタＣ２が遮断され、マイクロプロセッサＭＣＵのＲＡＭ領域のデータが直ちに消失する。
【００３４】
ｂ．スイッチを正常に操作するときにもＬＥＤ調光駆動装置が停電するが、時間が短く、キャパシタＣ２の存在により、ＲＡＭ領域に通電シグネチャが依然として保持されており、以下、０ｘ５５ＡＢＣＤを例として挙げ、実現方法は以下の通りである。
【００３５】
１）プログラムにおいて、ＭＣＵ内のＲＡＭ領域で数バイトの通電シグネチャを定義し、さらに初回通電標識を作成し、停電スレッドに情報を提供する。
【００３６】
２）ＭＣＵは、通電後、まず通電シグネチャを読み取る。
【００３７】
ａの場合、読取結果が乱数であり、ちょうど０ｘ５５ＡＢＣＤにならないので、初回通電であると判定でき、この結論を初回通電標識に格納し、同時に、通電シグネチャを初期化する。ｂの場合、読取結果が０ｘ５５ＡＢＣＤになるので、初回通電ではないと判断でき、この結論を初回通電標識に格納し、そのプロセスは図８の通りである。
【００３８】
停電スレッドにおいて、まず、初回通電標識を判断し、Ｔｒｕｅであると、灯具をオフにし、初回通電標識をＦａｌｓｅにセットし、次回にプログラムの強制的なオフを実行しないことを保証する。Ｆａｌｓｅであると、リバースプログラムを実行し、そのプロセスは図９の通りである。
【００３９】
本考案の実施例を示して説明したが、当業者であれば、本考案の原理及び趣旨を逸脱しない限り、これらの実施例を様々な変化、変更、置き換え及び変形を行うことができ、本考案の範囲は、添付する請求範囲及びその同等物により限定される。
【図１】
0003234203.tif 000003
【図２】
0003234203.tif 000004
【図３】
0003234203.tif 000005
【図４】
0003234203.tif 000006
【図５】
0003234203.tif 000007
【図６】
0003234203.tif 000008
【図７】
0003234203.tif 000009
【図８】
0003234203.tif 000010
【図９】
0003234203.tif 000011